【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】
木材複合物質の製造方法であって、
ａ）木材粒子を、
（１）尿素、メラミンおよびこれらの混合物からなる群から選ばれる乾燥固体化合物、および
（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)
を含む、木材複合物質の総量を基準に１〜２５質量％の混合物（その内、成分ａ)(１) 対成分ａ)(２)の質量比は、１０：１〜２：１である。）と配合する工程、並びに
ｂ）工程ａ）で形成された被覆配合物を成形または圧縮する工程
を含む方法。
【請求項２】
木材複合物質の製造方法であって、
ａ）木材粒子を、（１）尿素、メラミンおよびこれらの混合物からなる群から選ばれる乾燥固体化合物と配合する工程、
ｂ）工程ａ）で形成された配合物を、（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)を用いて被覆する工程、および
ｃ）工程ｂ）で形成された被覆配合物を成形または圧縮する工程
（その内、成分（１）および（２）が木材複合物質の総量を基準に１〜２５質量％であるような量で、成分（１）および（２）は存在し、成分（１）対成分（２）の質量比は１０：１〜２：１である。）
を含む方法。
【請求項３】
木材複合物質の製造方法であって、
ａ）木材粒子を、（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)と配合する工程、
ｂ）工程ａ）で形成された配合物を、（１）尿素、メラミンおよびこれらの混合物からなる群から選ばれる乾燥固体化合物を用いて被覆する工程、および
ｃ）工程ｂ）で形成された被覆配合物を成形または圧縮する工程
（その内、成分（１）および（２）が木材複合物質の総量を基準に１〜２５質量％であるような量で、成分（１）および（２）は存在し、成分（１）対成分（２）の質量比は１０：１〜２：１である。）
を含む方法。
【手続補正２】
【補正対象書類名】明細書
【補正対象項目名】００５９
【補正方法】変更
【補正の内容】
【００５９】
本発明を例証の目的のために上述において詳細に記載したが、そのような詳細は単に例証の目的のためだけであり、請求項により制限され得る場合を除き、本発明の意図および範囲から外れることなく当業者によりその中で変形することができるものと理解されるべきである。
本発明の好適な実施態様には、以下のものが含まれる。
〔１〕木材複合物質の製造方法であって、
ａ）木材粒子を、
（１）尿素、メラミンおよびこれらの混合物からなる群から選ばれる乾燥固体化合物、および
（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)
を含む、木材複合物質の総量を基準に１〜２５質量％の混合物（その内、成分ａ)(１)対成分ａ)(２)の質量比は、１０：１〜２：１である。）と配合する工程、並びに
ｂ）工程ａ）で形成された被覆配合物を成形または圧縮する工程
を含む方法。
〔２〕木材粒子を、
（１）尿素、メラミンおよびこれらの混合物からなる群から選ばれる乾燥固体化合物、および
（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)
を含む、木材複合物質の総量を基準に２〜１０質量％の混合物（その内、成分ａ)(１)対成分ａ)(２)の質量比は、１０：１〜２：１である。）と配合する上記〔１〕に記載の方法。
〔３〕木材粒子を、
（１）尿素、メラミンおよびこれらの混合物からなる群から選ばれる乾燥固体化合物、および
（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)
を含む、木材複合物質の総量を基準に３〜８質量％の混合物（その内、成分ａ)(１)対成分ａ)(２)の質量比は、３：１〜７：１である。）と配合する上記〔１〕に記載の方法。
〔４〕（２）であるポリメチレンポリ(フェニルイソシアネート)が、２．２〜２．４の官能価、約３１．２〜３２．８質量％のＮＣＯ含有量およびポリイソシアネートの総量を基準に約５５〜約８０質量％のモノマー含有量（その内、モノマー含有分は、約３質量％以下の２,２'-異性体、約１５〜約２０質量％の２,４'-異性体および約４０〜約５５質量％の４,４'-異性体を含む。）を有する上記〔１〕に記載の方法。
〔５〕（２）であるポリメチレンポリ(フェニルイソシアネート)が、約２．５〜３．０の平均官能価、約３０〜３２％のＮＣＯ含有量およびポリイソシアネートの総量を基準に約４０〜５０質量％のモノマー含有量（その内、モノマー含有分は、約１質量％以下の２,２'-異性体、約２〜約１０質量％の２,４'-異性体および約３５〜約４５質量％の４,４'-異性体を含む。）を有する上記〔１〕に記載の方法。
〔６〕木材複合物質の製造方法であって、
ａ）木材粒子を、（１）尿素、メラミンおよびこれらの混合物からなる群から選ばれる乾燥固体化合物と配合する工程、
ｂ）工程ａ）で形成された配合物を、（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)を用いて被覆する工程、および
ｃ）工程ｂ）で形成された被覆配合物を成形または圧縮する工程
（その内、成分（１）および（２）が木材複合物質の総量を基準に１〜２５質量％であるような量で、成分（１）および（２）は存在し、成分（１）対成分（２）の質量比は１０：１〜２：１である。）
を含む方法。
〔７〕成分（１）および（２）が木材複合物質の総量を基準に２〜１０質量％であるような量で、成分（１）および（２）が存在する上記〔６〕に記載の方法。
〔８〕成分（１）および（２）が木材複合物質の総量を基準に３〜８質量％であるような量で、成分（１）および（２）が存在し、成分（１）対成分（２）の質量比が７：１〜３：１である上記〔６〕に記載の方法。
〔９〕（２）であるポリメチレンポリ(フェニルイソシアネート)が、２．２〜２．４の官能価、約３１．２〜３２．８質量％のＮＣＯ含有量およびポリイソシアネートの総量を基準に約５５〜約８０質量％のモノマー含有量（その内、モノマー含有分は、約３質量％以下の２,２'-異性体、約１５〜約２０質量％の２,４'-異性体および約４０〜約５５質量％の４,４'-異性体を含む。）を有する上記〔６〕に記載の方法。
〔１０〕（２）であるポリメチレンポリ(フェニルイソシアネート)が、約２．５〜３．０の平均官能価、約３０〜３２％のＮＣＯ含有量およびポリイソシアネートの総量を基準に約４０〜５０質量％のモノマー含有量（その内、モノマー含有分は、約１質量％以下の２,２'-異性体、約２〜約１０質量％の２,４'-異性体および約３５〜約４５質量％の４,４'-異性体を含む。）を有する上記〔６〕に記載の方法。
〔１１〕木材複合物質の製造方法であって、
ａ）木材粒子を、（２）約２．１〜約３．５の官能価、約３０〜３３％のＮＣＯ含有量およびポリイソシアネートの総量を基準に約３０〜約９０質量％のモノマー含有量（その内、モノマー含有分は、約５質量％までの２,２'-異性体、約１〜約２０質量％の２,４'-異性体および約２５〜約６５質量％の４,４'-異性体を含む。）を有するポリメチレンポリ(フェニルイソシアネート)と配合する工程、
ｂ）工程ａ）で形成された配合物を、（１）尿素、メラミンおよびこれらの混合物からなる群から選ばれる乾燥固体化合物を用いて被覆する工程、および
ｃ）工程ｂ）で形成された被覆配合物を成形または圧縮する工程
（その内、成分（１）および（２）が木材複合物質の総量を基準に１〜２５質量％であるような量で、成分（１）および（２）は存在し、成分（１）対成分（２）の質量比は１０：１〜２：１である。）
を含む方法。
〔１２〕成分（１）および（２）が木材複合物質の総量を基準に２〜１０質量％であるような量で、成分（１）および（２）が存在する上記〔１１〕に記載の方法。
〔１３〕成分（１）および（２）が木材複合物質の総量を基準に３〜８質量％であるような量で、成分（１）および（２）が存在し、成分（１）対成分（２）の質量比が７：１〜３：１である上記〔１１〕に記載の方法。
〔１４〕（２）であるポリメチレンポリ(フェニルイソシアネート)が、２．２〜２．４の官能価、約３１．２〜３２．８質量％のＮＣＯ含有量およびポリイソシアネートの総量を基準に約５５〜約８０質量％のモノマー含有量（その内、モノマー含有分は、約３質量％以下の２,２'-異性体、約１５〜約２０質量％の２,４'-異性体および約４０〜約５５質量％の４,４'-異性体を含む。）を有する上記〔１１〕に記載の方法。
〔１５〕（２）であるポリメチレンポリ(フェニルイソシアネート)が、約２．５〜３．０の平均官能価、約３０〜３２％のＮＣＯ含有量およびポリイソシアネートの総量を基準に約４０〜５０質量％のモノマー含有量（その内、モノマー含有分は、約１質量％以下の２,２'-異性体、約２〜約１０質量％の２,４'-異性体および約３５〜約４５質量％の４,４'-異性体を含む。）を有する上記〔１１〕に記載の方法。